(57)【特許請求の範囲】
【請求項１】
放水口を有するヘッド本体と、該放水口を塞ぐ弁体と、前記放水口に対向するデフレクタと、該デフレクタと前記ヘッド本体とを連結するフレームと、該フレームの中央に設けられ、前記弁体を閉弁方向に押圧する感熱開弁部材とを備えたスプリンクラヘッドにおいて；
前記フレームの感熱開弁部材と反対方向である背面側に、前記デフレクタと対向し、かつ、半径方向に伸びる散水反射板を設け、
該散水反射板は、前記デフレクタに固定される傾斜部と、フレーム背面に沿って飛散する消火用水の進行方向を変える水平部とを有していることを特徴とするスプリンクラヘッド。
【請求項２】
放水口を有するヘッド本体と、該放水口を塞ぐ弁体と、前記放水口に対向し、外周縁部に円周方向に間隔をおいて複数の半径方向のスリットを形成したデフレクタと、該デフレクタと前記ヘッド本体とを連結する一対のフレームと、該フレームの中央に設けられ、前記弁体を閉弁方向に押圧する感熱開弁部材と、を備えたスプリンクラヘッドにおいて；
前記デフレクタは、円板状に形成され、前記スリットが形成される外周縁部は、前記フレームの感熱開弁部材と反対方向である背面側に位置する背面対応部と、前記一対のフレームと直交する周辺の領域部分である開放部とに分けられ、
前記背面対応部に、複数のスリットのうち、最も長いスリットを設けると共に、前記開放部に、前記複数のスリットのうち、最も短いスリットを設け、
前記背面対応部に形成した全スリットの合計スリット長さである、該背面対応部のスリット総長さを、前記開放部のそれよりも長くしたことを特徴とするスプリンクラヘッド。
【請求項３】
前記散水反射板は、前記デフレクタと前記フレームとの間に設けられ、前記フレームとほぼ同じ幅であることを特徴とする請求項１記載のスプリンクラヘッド。
【発明の詳細な説明】
【０００１】
【発明の属する技術分野】
この発明は、消火設備に用いられるスプリンクラヘッドに関するものであり、更に述べると、デフレクタの支持部材の背面側にも十分に散水できるスプリンクラヘッドに関するものである。
【０００２】
【従来の技術】
従来のスプリンクラヘッドは、ヘッド本体の放水口を塞ぐ弁体と、該ヘッド本体に支持部材を介して支持されるデフレクタと、該デフレクタの外周縁部に複数設けられた半径方向のスリットと、該弁体とデフレクタとの間に配設された感熱開弁部材と、を備えている。前記支持部材はデフレクタの表面に立設されているが、この支持部材として、フラッシュ型スプリンクラヘッドでは柱状のガイドロッドが用いられ、又、フレーム型スプリンクラヘッドでは馬蹄形のフレームが用いられている。
【０００３】
このスプリンクラヘッドでは、感熱開弁部材が火災の熱を感知するとはじけて弁体が落下し、放水口が開放される。該放水口から放出された消火用水は、デフレクタの中央部に衝突し、該デフレクタに案内されながら外周縁部に向う。そして、その消火用液の一部はスリットからデフレクタ近傍に落下し、他は該外周縁から遠方に飛散する。
【０００４】
【発明が解決しようとする課題】
従来例のスプリンクラヘッドでは、前記支持部材がデフレクタの表面に立設されているため、放水時に外周縁部に向かう消火用水が該支持部材に衝突する。そのため、該支持部材の裏側即ち背面側には、消火用水が回りにくくなるので、散水量が他の部分に比べ少なくなってしまう。そのため、ヘッド全体の散水量を均一にすることができないので、効率よく消火を行うことができない。
【０００５】
この発明は、上記事情に鑑み、ヘッド全体の散水量を均一にすることを目的とする。
【０００６】
【課題を解決するための手段】
この発明は、放水口を有するヘッド本体と、該放水口を塞ぐ弁体と、前記放水口に対向するデフレクタと、該デフレクタと前記ヘッド本体とを連結するフレームと、該フレームの中央に設けられ、前記弁体を閉弁方向に押圧する感熱開弁部材とを備えたスプリンクラヘッドにおいて；前記フレームの感熱開弁部材と反対方向である背面側に、前記デフレクタと対向し、かつ、半径方向に伸びる散水反射板を設け、該散水反射板は、前記デフレクタに固定される傾斜部と、フレーム背面に沿って飛散する消火用水の進行方向を変える水平部とを有していることを特徴とする。この発明の散水反射板は、前記デフレクタと前記フレームとの間に設けられ、前記フレームとほぼ同じ幅であることを特徴とする。
【０００７】
この発明は、放水口を有するヘッド本体と、該放水口を塞ぐ弁体と、前記放水口に対向し、外周縁部に円周方向に間隔をおいて複数の半径方向のスリットを形成したデフレクタと、該デフレクタと前記ヘッド本体とを連結する一対のフレームと、該フレームの中央に設けられ、前記弁体を閉弁方向に押圧する感熱開弁部材と、を備えたスプリンクラヘッドにおいて；前記デフレクタは、円板状に形成され、前記スリットが形成される外周縁部は、前記フレームの感熱開弁部材と反対方向である背面側に位置する背面対応部と、前記一対のフレームと直交する周辺の領域の部分である開放部とに分けられ、前記背面対応部に、複数のスリットのうち、最も長いスリットを設けると共に、前記開放部に、前記複数のスリットのうち、最も短いスリットを設け、前記背面対応部に形成した全スリットの合計スリット長さである該背面対応部のスリット総長さを、前記開放部のそれよりも長くしたことを特徴とする。
【０００８】
【発明の実施の形態】
本発明者は、前記問題を解決するための研究、実験を重ねた結果、次の様にすればよいことがわかった。 即ち、（１）デフレクタの外周縁部の前記支持部材の背面に対応する部分のみを下方に曲げ、該背面側に消火用水が流れ込みやすい様にする。
（２）デフレクタと前記支持部材との間に、前記支持部材とほぼ同じ幅の散水反射板を設け、デフレクタに衝突して上方に向かう消火用水を散水反射板で捕らえて該背面側に飛散するようにする。
【０００９】
（３）支持部材のほぼ斜め下方に位置するスリットを前記支持部材側に曲げ、該背面側に消火用水が流れやすい様にする。
（４）デフレクタの外周縁部を、前記支持部材の背面側に位置する背面対応部と、該背面対応部以外の開放部とに分け、前記スリットの総長さが、前記開放部より前記背面対応部の方が長くなるようにし、該背面側に多くの消火用水が落下する様にする。
【００１０】
【実施例】
この発明の第１実施例を図１〜図６により説明する。
フレーム型スプリンクラヘッドＳＰは、放水口１を有するヘッド本体２と、該放水口１を塞ぐ弁体３と、該放水口１と対向するデフレクタ５と、該デフレクタ５とヘッド本体２とを連結するフレーム６と、弁体３を閉弁方向に押圧する感熱開弁部材１０と、を備えている。
【００１１】
該ヘッド本体２には、図示しない給水配管に螺着されるねじ部１１が設けられている。該弁体３は、バルブシート３ｄを介して弁座２ａに圧接されている。該弁体３のリング状溝３ｇには、線状に形成された横方向付勢ばね１５が圧接され、その両端部はフレーム６に係止している。このばね１５のばね力により弁体３は常時横方向の力を受けている。
【００１２】
感熱開弁部材１０はグラスバルブであり、その一端は弁体３の受溝３ｆに挿入され、他端はデフレクタ５のバルブ受５ｆに支持される。このグラスバルブ１０は弁体３を閉弁方向に押圧しており、その押圧力はデフレクタ５の底面５ｂに設けた調整ねじ１６により調節される。
【００１３】
デフレクタ５は、円板状に形成され、その直径は、例えば、31mmであり、その外周縁部５ｃは、背面対応部５ｄ、即ち、フレーム（支持部材）の背面６ａ側に位置する部分と、開放部５ｅ、即ち、前記背面対応部５ｄ以外の部分、とに分けられている。開放部５ｅは、図においては、一対のフレーム６と直交する周辺の領域の部分であり、前記支持部材によって放水を妨げられない、開放された部分である。
【００１４】
このデフレクタ５の外周縁部５ｃには、円周方向に間隔をおいて複数のスリット２０a、２０ｂ、２０ｃ、２０ｄ、２０ｅが形成されている。このスリット２０a〜２０ｅの幅ｗは、それぞれ等しく形成されているが、そのスリット長さは、順次短くなっている。即ち、そのスリット長さは、例えば、第１スリット２０ａ＝7.5mm、第２スリット２０ｂ＝7mm、第３スリット２０c＝6.5mm、第４スリット２０d＝5mm、第５スリット２０e＝4.5mm、に形成され、背面対応部５ｄの中心に位置する第１スリット２０ａが最も長く、又、開放部５ｅの第５スリット２０ｅが最も短く形成されている。
【００１５】
背面対応部５dには、一番目に長い第１スリット２０aが１本、２番目に長い第２スリット２０ｂが２本、３番目に長い第３スリット２０ｃが２本、設けられ、又、開放部５ｅには、一番目に短い第５スリット２０ｅが２本、２番目に短い第４スリット２０ｄが２本、３番目に長い第３スリット２０ｃが１本、設けられている。その為、背面対応部５ｄのスリット総長さ、即ち、背面対応部５ｄに形成された全スリットの合計スリット長さは、開放部５ｅのスリット総長さより長くなる。
【００１６】
各スリット20a〜20eの中心軸は半径方向ARを向いているが、背面対応部５ｄの３番目に長い第３スリット20ｃの中心軸ｃは半径方向ARに対して支持部材６の背面６a側に傾斜している。この傾斜角度γは、例えば、半径方向ＡＲに対して８度３０分が採用されるが、その大きさは、必要に応じて適宜選択される。
【００１７】
前記複数のスリット20ａ〜20eによりデフレクタ５の外周縁部５ｃは、複数の分割デフレクタ部５Ａ、５Ｂに仕切られる。この分割デフレクタ部５Ａは背面対応部５ｄに位置し、分割デフレクタ部５Ｂは開放部５ｅに位置している。この分割デフレクタ部５Ａは、前記分割デフレクタ部５Ｂより下方に傾斜しているが、水平線Ｆに対する傾斜角度θとして、例えば、５度が採用されるが、その大きさは必要に応じて適宜選択される。
【００１８】
デフレクタ５の上方には、散水反射板２２が設けられている。この反射板２２はフレーム６の背面６ａに当接する板体であり、半径方向ＡＲに伸びる水平部２２ａと、デフレクタ５に固定される傾斜部２２ｂと、を備えている。この散水反射板２２の幅はフーム６の幅ｗとほぼ同じに形成されているが、その大きさは必要に応じて適宜選択される。尚、水平部２２ａの水平度や長さなどは、必要に応じて適宜選択することが出来る。
【００１９】
次に本実施例の作動について説明する。火災の発生により、感熱開弁部材１０が破損すると、弁体３を閉弁方向に押圧する力がなくなり、弁体３は消火用水Ｗにより下方に移動する。
【００２０】
この時、弁体３には横方向付勢ばね１５のばね力が働いているので、該弁体３は放水口１から離れると同時に横方向へ飛ばされる。そのため、該弁体５はデフレクタ５上に落下することがないので、いわゆるロッジメントは発生しない。
【００２１】
放水口１から噴出する消火用水はデフレクタ５に衝突して流れ方向を変え、外周縁部５Ｃに向かって飛散する。この外周縁部５Ｃに向う消火用水Ｗ0の一部は、フレーム６に衝突して左右に分けられるとともに、フレーム６０背面に沿って上方に向かっても飛散する。この上方に向って飛散する消火用水Ｗ1は、散水反射板２２に衝突しその進行方向を変えられながら背面対応部５ｄの外側遠方に飛散する。
【００２２】
前記左右に分けられた消火用水Ｗ2は、スリット20a〜20c及び分割デフレクタ部５Ａを介して背面対応部５ｄ側に飛散する。
【００２３】
この分割デフレクタ部５Ａは、他の分割デフレクタ部５Ｂより下向きに傾斜しているので、前記分割デフレクタ部５Ｂよりも消火用水Ｗ2が流れ込みやすく、背面対応部５ｄ側に消火用水が集まりやすい。そのため、背面対応部５ｄ側に充分な消火用水を散布することが出来る。
【００２４】
背面対応部５ｄのスリット総長さは、開放部５ｅのスリット総長さよりも長いので、該スリットを介して背面対応部５ｄ側に落下する消火用水の量は開放部５ｅのそれより多くなる。そのため、支持部材６に衝突してデフレクタ５上の背面対応部５ｄに放水口１からの消火用水が開放部５ｅよりも供給されなくても、背面対応部５ｄ側に充分な消火用水を散布することが出来る。なお、放水口１から供給される消火用水は、支持部材の影響を全く受けずに供給されるため、開放部５ｅ側に設けたスリット２０ｃ〜２０ｅを短くしても、遠方は勿論、近傍にも十分に散水することができる。このように、スリットの長さを変えるだけで、散水分布を均一にしているので、デフレクタの製造が容易となる。
【００２５】
背面対応部５ｄの支持部材６の側面６ｂ直近の第３スリット２０ｃの中心軸ｃが、半径方向ＡＲに対して支持部材６の背面６ａ側に傾斜しているので、半径方向に進んでいる水流を支持部材６の背面６ａ側に向かわせることができる。そのため、背面対応部５ｄ側にも充分に散水することが出来る。
【００２６】
なお、本発明はフレーム型のスプリンクラヘッドだけでなく、フラッシュ型のスプリンクラヘッドにも適用可能であり、この場合には、デフレクタを吊設するガイドロッドが支持部材となる。また、感熱開弁部材にグラスバルブではなく、半田を使用したフュージブルリンクを使用してもよい。
【００２７】
【発明の効果】
この発明は、以上のように構成したので、背面対応部側にも十分に散水できる。その為、ヘッド全体に亘り均一に散水することができる。即ち、
【００２８】
（１）散水反射板を設けたので、デフレクタからフレーム背面に沿って上方に向って飛散する消火用水は、この散水反射板に衝突しその進行方向を変えられながら背面対応部の外側遠方に飛散する。そのため、背面対応部側に充分な消火用水を散布することが出来る。
（２）背面対応部のスリット総長さは、開放部のスリット総長さよりも長いので、該スリットを介して背面対応部側に落下する消火用水の量は開放部のそれより多くなる。そのため、背面対応部側に充分な消火用水を散布することが出来る。
【図面の簡単な説明】
【図１】本発明の第１実施例を示す正面図である。
【図２】側面図である。
【図３】底面図である。
【図４】図２のＩＶ−ＩＶ線断面図である。
【図５】デフレクタの拡大平面図である。
【図６】図４の拡大図の１部を示す図である。
【符号の説明】
１        放水口
２        ヘッド本体
５        デフレクタ
５Ａ      分割デフレクタ部
５Ｂ      分割デフレクタ部
６        フレーム
１０        感熱開弁部材
２０        スリット
２２        散水反射板
【図１】
0003928107.tif 000002
【図２】
0003928107.tif 000003
【図３】
0003928107.tif 000004
【図４】
0003928107.tif 000005
【図５】
0003928107.tif 000006
【図６】
0003928107.tif 000007